(57)【要約】【課題】部品点数を増加させることがなく、かつ展示室の背面側の清掃作業を容易に行うことのできる自動販売機を提供する。【解決手段】支持部５とサンプル台本体６とを互いに着脱可能に形成するとともに、サンプル台本体６にはサンプル台本体６から取り外された支持部５をサンプル台本体６の前面側に着脱自在に保持する表示板ホルダ６ｂを設けたので、展示室３の背面３ａへの視界が商品サンプルＡによって遮られることがなくなり、展示室３の背面３ａの清掃作業を容易に行うことができる。また、商品サンプルＡを移動させるために、例えば支持部５を前方に回動させる支持軸等の部品を別途必要としないので、部品点数を増加させることがなく、自動販売機の製造コストを抑えることもできる。さらに、支持部５が表示板ホルダ６ｂによって保持されるので、支持５及び商品サンプルＡを紛失することがないという利点がある。【選択図】図４
2007018251.tif 000002
【特許請求の範囲】
【請求項１】
前面を開口した自動販売機本体と、自動販売機本体の前面を開閉する外扉と、外扉の前面に設けられた商品サンプル展示室と、商品サンプル展示室内に配置された商品サンプル載置用の商品サンプル台とを備え、商品サンプル台を、商品サンプルを支持する支持部材と、展示室の背面に固定されるサンプル台本体とから形成した自動販売機において、
前記支持部とサンプル台本体とを互いに着脱可能に形成するとともに、サンプル台本体にはサンプル台本体から取り外された支持部材をサンプル台本体の他の所定位置に着脱自在に保持する保持部を設けた
ことを特徴とする自動販売機。
【請求項２】
前記支持部及び取付部に互いに着脱可能に係合する係合部を設けた
ことを特徴とする請求項１記載の自動販売機。
【請求項３】
前記保持部をサンプル台本体の前面側に設け、保持部を、任意の情報が表示された表示部材を保持可能に形成した
ことを特徴とする請求項１または２記載の自動販売機。
【請求項４】
前記保持部に表示部材の表示面を前方に露出させる開口部を設けた
ことを特徴とする請求項３記載の自動販売機。
【発明の詳細な説明】
【技術分野】
【０００１】
本発明は、缶入り飲料、紙パック飲料、箱入り菓子等の商品を販売する自動販売機に関するものである。
【背景技術】
【０００２】
従来、この種の自動販売機としては、前面を開口した自動販売機本体と、自動販売機本体の前面を開閉する外扉と、外扉の前面に設けられた商品サンプル展示室と、商品サンプル展示室内に配置された商品サンプル載置用の商品サンプル台とを備え、商品サンプル台を、商品サンプルを支持する支持部材と、展示室の背面に固定されるサンプル台本体と、支持部材を回動可能に支持する支持軸とから形成したものが知られている（例えば、特許文献１参照）。
【０００３】
この自動販売機では、展示室の背面側を清掃する際に、支持軸に沿って支持部が前方に回動して商品サンプルを移動させるようにすることで、商品サンプルが清掃作業の障害にならないようにしている。
【特許文献１】特許第３０２０３２３号公報
【発明の開示】
【発明が解決しようとする課題】
【０００４】
しかしながら、前記従来例では、支持部を前方に回動させるための支持軸が必要となるため、部品点数が増加して、自動販売機の製造コストが高くなるという問題があった。また、例えば商品サンプルの先端が斜め上方に向いた状態で固定部の回動を停止させるように構成した場合には、展示室の背面側を清掃しようとしても商品サンプルによって展示室の背面側への視界が遮られ、清掃するのが困難になるという問題点もあった。
【０００５】
本発明は前記問題点に鑑みてなされたものであり、その目的とするところは、部品点数を増加させることがなく、展示室の背面側の清掃作業を容易に行うことのできる自動販売機を提供することにある。
【課題を解決するための手段】
【０００６】
本発明は、前記目的を達成するために、前面を開口した自動販売機本体と、自動販売機本体の前面を開閉する外扉と、外扉の前面に設けられた商品サンプル展示室と、商品サンプル展示室内に配置された商品サンプル載置用の商品サンプル台とを備え、商品サンプル台を、商品サンプルを支持する支持部材と、展示室の背面に固定されるサンプル台本体とから形成した自動販売機において、前記支持部とサンプル台本体とを互いに着脱可能に形成するとともに、サンプル台本体にはサンプル台本体から取り外された支持部材をサンプル台本体の他の所定位置に着脱自在に保持する保持部を設けている。
【０００７】
これにより、支持部材が商品サンプルを支持したままサンプル台本体から分離されることが可能になるので、展示室の背面側への視界が商品サンプルによって遮られることがない。また、商品サンプルを移動させるための部品、例えば支持部材を回動させる支持軸等を別途必要としない。さらに、支持部材が保持部によって保持されるので、支持部材がサンプル台本体から分離されたときに自動販売機の外部に仮置きする必要がない。
【発明の効果】
【０００８】
本発明によれば、展示室の背面への視界が遮られることがなくなるので、展示室の背面側の清掃作業を容易に行うことができる。また、商品サンプルを移動させるための部品を別途必要としないので、部品点数の増加による自動販売機の製造コストを抑えることもできる。さらに、支持部材を自動販売機の外部に仮置きする必要がないので、支持部材及び商品サンプルを紛失することがないという利点がある。
【発明を実施するための最良の形態】
【０００９】
図１乃至図６は本発明の一実施形態を示すもので、図１は自動販売機の全体斜視図、図２及び図３はサンプル台の正面側斜視図、図４乃至図６はサンプル台の動作を示す側面断面図である。
【００１０】
この自動販売機は、前面を開口した自動販売機本体１と、自動販売機本体１の前面開口部を開閉する外扉２とを備えている。また、外扉２の上部にはアクリル板等からなる透明板２ａが設けられており、透明板２ａの後方には複数の商品サンプルＡを展示する展示室３が設けられている。展示室３には、各商品サンプルを載置する複数のサンプル台４が外扉２の上下方向に間隔をおいて設けられている。
【００１１】
各サンプル台４は、図２及び図３に示すように、商品サンプルＡを支持する支持部５と、展示室３の背面３ａに固定されるサンプル台本体６とから構成されている。
【００１２】
支持部５には、展示室３の幅方向に亘って複数のサンプル取付孔５ａが形成され、各サンプル取付孔５ａには商品サンプルＡが取り付けられる。また、支持部５には、取付部６に係合するためのフランジ５ｂが展示室３の幅方向両端側の各後部に形成されている。各フランジ５ｂは、支持部５の後端を折り曲げ加工することにより形成されており、その先端側が前方に向かうように屈曲している。
【００１３】
サンプル台本体は、取付部６ａと、商品の価格等が表示された複数の表示板Ｂを保持する表示板ホルダ６ｂとから構成されている。取付部６ａの前面は展示室３の幅方向に延びており、その両端側の後部には、フランジ５ｂを係合させるための係合溝６ｃが設けられている。また、取付部６ａの後部は、ねじ等の締結部材によって展示室３の背面３ａに取り付けられている。表示板ホルダ６ｂは、取付部６ａの前面に設けられており、表示板ホルダ６ｂの前端側には各表示板Ｂの表示面を前方に露出可能な開口部６ｄが設けられている。また、表示板ホルダ６ｂは、先端側が上方に延びるように略Ｕ字状に屈曲しており、その前後方向の空間６ｅには表示板Ｂ及びフランジ５ｂが挿入可能となっている。
【００１４】
以上のように構成された自動販売機において、展示室３の背面３ａの清掃作業を行う場合には、まず、図４に示すように支持部５のフランジ５ｂがサンプル台本体６の係合溝６ｃに係合している状態において、図５に示すように、支持部５を後方に移動させる。これにより、支持部５のフランジ５ｂとサンプル台本体６の係合溝６ｃとの間の係合が解除される。次に、図５に示すように支持部５を上方に移動させると、支持部５とサンプル台本体６とが分離する。そして、図６に示すように、支持部５のフランジ５ｂを表示板ホルダ６ｂの空間６ｅに挿入すると、支持部５のフランジ５ｂが表示板ホルダ６ｂによって支持される。これにより、展示部３の背面３ａの清掃時には、展示部３の背面３ａの全体を確実に視認することが可能となる。
【００１５】
このように、本実施形態の自動販売機によれば、支持部５とサンプル台本体６とを互いに着脱可能に形成するとともに、サンプル台本体６にはサンプル台本体６から取り外された支持部５をサンプル台本体６の前面側に着脱自在に保持する表示板ホルダ６ｂを設けたので、展示室３の背面３ａへの視界が商品サンプルＡによって遮られることがなくなり、展示室３の背面３ａの清掃作業を容易に行うことができる。また、商品サンプルＡを移動させるために、例えば支持部５を前方に回動させる支持軸等の部品を別途必要としないので、部品点数を増加させることがなく、自動販売機の製造コストを抑えることもできる。さらに、支持部５が表示板ホルダ６ｂによって保持されるので、支持部５がサンプル台本体６から分離されたときに自動販売機の外部に仮置きする必要がなくなり、支持部５及び商品サンプルＡを紛失することがないという利点がある。
【００１６】
さらに、支持部５に、サンプル台本体６の係合溝６ｃに着脱可能に係合するフランジ５ｂを設けたので、支持部５のフランジ５ｂをサンプル台本体６の係合溝６ｃに係合させることができ、外部からの振動を受けた場合でも、支持部５が容易に位置ずれを生ずることがなく、確実に商品サンプルＡを支持することができる。
【００１７】
さらに、表示板ホルダ６ｂをサンプル台本体６の前面側に設け、表示板ホルダ６ｂを、商品の価格が表示された表示板Ｂを保持可能に形成したので、表示板Ｂ保持用の部品を別途必要とせず、製造コストをさらに抑えることができる。
【００１８】
さらに、表示板ホルダ６ｂに表示板Ｂの表示面を前方に露出させる開口部６ｄを設けたので、外部から商品の価格や冷温状態を知ることができ、商品購入時の利便性が向上する。
【００１９】
なお、上記実施形態では、支持部５にフランジ５ａを設け、サンプル台本体６に係合溝６ｃを設けたものを示したが、支持部に係合溝を形成し、サンプル台本体及び表示部材保持部にフランジを形成してもよい。これにより、上記実施形態と同様の作用効果を得ることができる。
【図面の簡単な説明】
【００２０】
【図１】本発明の一実施形態を示す自動販売機の全体斜視図
【図２】サンプル台の正面側斜視図
【図３】サンプル台の正面側斜視図
【図４】サンプル台の動作を示す側面断面図
【図５】サンプル台の動作を示す側面断面図
【図６】サンプル台の動作を示す側面断面図
【符号の説明】
【００２１】
１…自動販売機本体、２…外扉、３…展示室、４…サンプル台、５…支持部、５ｂ…フランジ、６…サンプル台本体、６ｂ…表示板ホルダ、６ｃ…係合溝、６ｄ…開口部、Ａ…商品サンプル、Ｂ…表示板。
【図１】
2007018251.tif 000003
【図２】
2007018251.tif 000004
【図３】
2007018251.tif 000005
【図４】
2007018251.tif 000006
【図５】
2007018251.tif 000007
【図６】
2007018251.tif 000008